(57)【要約】  【課題】原稿読取り装置において、開いたブック原稿の所望のページを原稿置き台に密着することができ、読取って印刷出力した画像に変形、黒色化等の不具合を生じることがないようにする。  【解決手段】透明ガラス板からなる原稿置き台３の一辺に沿って、開いたブック原稿ＢＤの片側が挿入可能なスリット開口１６を形成し、このスリット開口１６に連接して外側へ向かって傾斜する凹部空間１７を筐体２内に設ける。凹部空間１７は、合成樹脂製の挿入ポケット１８で構成される。さらに、スリット開口１６を開閉自在に覆う蓋部材１９を設け、蓋部材１９を開いた状態で、ブック原稿ＢＤの片側をスリット開口１６を通じて挿入ポケット１８に挿入することによって、所望のページを原稿置き台３に密着することができ、蓋部材１９を閉じた状態で、シート原稿の一辺を蓋部材１９の縁部１９ｂに当接することによって、シート原稿を原稿置き台３の適正位置に載置できる。【選択図】  図１
2006270618.tif 000002
【特許請求の範囲】
【請求項１】
筐体と、前記筐体の上面に設けた透明ガラス板からなる原稿置き台と、前記原稿置き台の下方に配置されて前記原稿置き台上の原稿を読取る原稿読取り手段とを有する原稿読取り装置において、
前記原稿置き台の一辺に沿って、前記筐体との間に、開いたブック原稿の片側が挿入可能なスリット開口を形成すると共に、前記スリット開口に連接され、前記原稿読取り手段の外側方へ向かって傾斜した凹部空間を設け、
さらに、前記スリット開口に、スリット開口の形状と略同一形状の開閉自在な蓋部材を設け、
前記蓋部材を開いた状態では、開いたブック原稿の片側を前記スリット開口に挿入することによって、ブック原稿の他側のページを前記原稿置き台に密着して載置でき、前記蓋部材を閉じた状態では、シート原稿の一辺を前記蓋部材の縁部に当接することによって、シート原稿を前記原稿置き台の適正位置に載置できることを特徴とする原稿読取り装置。
【請求項２】
筐体と、前記筐体の上面に設けた透明ガラス板からなる原稿置き台と、前記原稿置き台の下方に配置されて前記原稿置き台上の原稿を読取る原稿読取り手段とを有する原稿読取り装置において、
前記原稿置き台の一辺に沿って、前記筐体との間に、開いたブック原稿の片側が挿入可能なスリット開口を形成したことを特徴とする原稿読取り装置。
【請求項３】
前記スリット開口に連接され、前記原稿読取り手段を避けて外側方へ向かって傾斜した凹部空間を設けたことを特徴とする原稿読取り装置。
【発明の詳細な説明】
【技術分野】
【０００１】
本発明は、スキャナ、プリンタ、コピー機等の画像処理装置における原稿読取り装置に関する。
【背景技術】
【０００２】
筐体の上面に透明ガラス板からなる原稿置き台を有し、筐体内部に設けたＣＩＳ（Ｃｏｎｔａｃｔ  Ｉｍａｇｅ  Ｓｅｎｓｏｒ）等からなる原稿読取り手段によって、原稿置き台上の原稿をスキャン走査して読取る原稿読取り装置が知られている。
【０００３】
例えば、原稿にカール等があっても、浮きが生じず、原稿面をコンタクトガラスに密着できる原稿押さえ装置を備えたものとして、特許文献１及び特許文献２に開示された装置がある。
【特許文献１】特開２００１−２４８４３号公報
【特許文献２】特開２００１−７５１９４号公報
【発明の開示】
【発明が解決しようとする課題】
【０００４】
上記原稿読取り装置は、基本的にシート原稿の読取りに適し、ブック原稿の読取りには適していない。つまり、図６に代表的な原稿読取り装置としてのスキャナにより、ブック原稿ＢＤを読取る場合の使用態様を示したように、ガラス板からなる原稿置き台Ｇ上にブック原稿ＢＤを開いて載置した時に、ブック原稿ＢＤは、開いたページの中央部が原稿置き台Ｇに密着せず、原稿置き台Ｇから浮き上がるので、読取った画像を印刷出力すると、浮き上がり部分の画像が変形したり、外光の影響によって黒色に写ったりして、良好な印刷画像が得られない。
【０００５】
これを改善するために、ブック原稿ＢＤの背部分に上方から圧力Ｐを加えて原稿置き台Ｇに押し付けると、ブック原稿ＢＤを痛めてしまうことになるし、浮き上がり部分の画像が変形したり、黒色に写ったりする不具合は、完全には解消されない。
【０００６】
そこで、本発明は、ブック原稿の読取りに適し、開いたブック原稿の所望のページを、原稿置き台に密着することができ、読取って印刷出力した画像に変形、黒色化等の不具合を生じることがない原稿読取り装置を提供することを目的とする。
【課題を解決するための手段】
【０００７】
上記目的を達成するために、請求項１の発明は、筐体と、前記筐体の上面に設けた透明ガラス板からなる原稿置き台と、前記原稿置き台の下方に配置されて前記原稿置き台上の原稿を読取る原稿読取り手段とを有する原稿読取り装置において、前記原稿置き台の一辺に沿って、前記筐体との間に、開いたブック原稿の片側が挿入可能なスリット開口を形成すると共に、前記スリット開口に連接され、前記原稿読取り手段の外側方へ向かって傾斜した凹部空間を設け、さらに、前記スリット開口に、スリット開口の形状と略同一形状の開閉自在な蓋部材を設け、前記蓋部材を開いた状態では、開いたブック原稿の片側を前記スリット開口に挿入することによって、ブック原稿の他側のページを前記原稿置き台に密着して載置でき、前記蓋部材を閉じた状態では、シート原稿の一辺を前記蓋部材の縁部に当接することによって、シート原稿を前記原稿置き台の適正位置に載置できることを特徴とする。
【０００８】
請求項２の発明は、筐体と、前記筐体の上面に設けた透明ガラス板からなる原稿置き台と、前記原稿置き台の下方に配置されて前記原稿置き台上の原稿を読取る原稿読取り手段とを有する原稿読取り装置において、前記原稿置き台の一辺に沿って、前記筐体との間に、開いたブック原稿の片側が挿入可能なスリット開口を形成したことを特徴とする。
【０００９】
請求項３の発明は、請求項２の発明において、前記スリット開口に連接され、前記原稿読取り手段を避けて外側方へ向かって傾斜した凹部空間を設けたことを特徴とする。
【発明の効果】
【００１０】
請求項１の発明によれば、開いたブック原稿の片側のページをスリット開口に挿入して、所望のページを原稿置き台に密着することができ、読取って印刷出力した画像に変形、黒色化等の不具合を生じることがなく、シート原稿を原稿置き台に載置する場合には、シート原稿の一辺をスリット開口の蓋部材の縁部に当接して、容易に適正位置に載置することができる。
【００１１】
請求項２及び請求項３の発明によれば、開いたブック原稿の片側のページをスリット開口に挿入して、所望のページを原稿置き台に密着することができ、読取って印刷出力した画像に変形、黒色化等の不具合を生じることがない。
【発明を実施するための最良の形態】
【００１２】
以下、本発明の一実施形態に係る原稿読取り装置について、図１乃至図３を参照して説明する。本実施形態の原稿読取り装置１は、略直方形状の筐体２の上面に透明ガラス板からなる原稿置き台３を有し、この原稿置き台３上に載置した原稿を、筐体２内部のＣＩＳ（Ｃｏｎｔａｃｔ  Ｉｍａｇｅ  Ｓｅｎｓｏｒ）等からなる原稿読取り手段４によって読取り、外部に接続したプリンタ（不図示）等へデジタルデータとして出力するスキャナである。筐体上面の原稿置き台３の周囲には、ガラス板３と筐体２とを画成する枠部材５が設けられ、この枠部材５の内側面５ａに原稿の一辺を当接すれば、原稿が原稿置き台３上で正しく配置できるようになっている。また、筐体２の上面には、略水平に倒伏して原稿置き台３上を覆う状態と、上方へ開いて原稿置き台３上が開放された状態との間で開閉自在になったカバー部材６がヒンジ７によって連結して設けてある。
【００１３】
原稿読取り手段４は、ＣＩＳ８と、ＣＩＳ８を原稿置き台３の長手方向に沿ってスキャン走査させるためのキャリッジ９、ガイドレール１１、ドライブベルト１２等からなるスキャン駆動手段１３とからなる。ＣＩＳ８とスキャン駆動手段１３は、共に公知のものである。
【００１４】
従って、原稿をその大きさに応じた原稿置き台３上の適当な位置に載置し、カバー部材６を閉じた後、操作パネル１４のキー１５を適当に操作すれば、ＣＩＳ８が自動的にスキャン走査して原稿置き台３上の原稿を読取り動作するが、本実施形態では、原稿置き台３の一辺に沿って、次に説明するスリット開口１６が形成してあって、ブック原稿ＢＤの所望のページを原稿置き台３上に密着できるようになっている。
【００１５】
つまり、原稿置き台を構成するガラス板３の一辺に沿って、枠部材５との間に、開いたブック原稿ＢＤの片側を挿入可能なスリット開口１６が形成してある。本実施形態のスリット開口１６は、相当に大きな厚さのブック原稿ＢＤであっても容易に挿入できるように、３〜４ｃｍの幅に形成してあり、このスリット開口１６と連続するように原稿読取り手段４を避けて外側方へ傾斜した凹部空間１７が形成してある。凹部空間１７は、具体的には、図２に示すように、筐体２内に傾斜させて設けた、側壁１８ａと底部１８ｂを有する断面Ｕ字状の挿入ポケット１８から構成される。この挿入ポケット１８は、合成樹脂製であって、側壁１８ａの内面は滑らかに成型され、それが傾斜していることと相まって、ブック原稿ＢＤの片側が、円滑に挿入されると共に、円滑に抜出しが行える。原稿読取り手段４の幅が大きく、図２に示したものよりも、さらに右方へ張り出している場合には、その張り出し量に合わせて挿入ポケット１８（凹部空間１７）の傾斜も大きくなる。
【００１６】
また、スリット開口１６が形成された側の枠部材５上に、閉じた状態ではスリット開口１６を覆い、開いた状態ではスリット開口１６を露出する細長の蓋部材１９がヒンジ２１によって開閉自在に連結して設けてある。この蓋部材１９は、水平に倒伏した状態で、その下面の凸部１９ａがスリット開口１６に嵌合する。また、その縁部１９ｂは、蓋部材１９と平行な枠部材５の内側面５ａと正確に平行になるように形成してある。
【００１７】
本実施形態の原稿読取り装置１は、以上の通りの構成であるので、ブック原稿ＢＤを読取る時には、図１及び図２に示すように、蓋部材１９を開いてスリット開口１６を露出させ、開いたブック原稿ＢＤの片側を、スリット開口１６を通じて挿入ポケット１８内へ挿入し、所定のキー１５を押して読取り動作を行う。この時、原稿置き台３上のページは、図２に示すように、ほぼその全面が原稿置き台（ガラス板）３に密着するので、読取った情報を印刷出力した画像に、文字、図形等の変形が生じず、黒色化もほとんど生じない。所望のページの読取りが終了した後、ブック原稿ＢＤを両手で持って手前側上方へ持上げれば、ブック原稿ＢＤは円滑に挿入ポケット１８から抜き出すことができる。一方、シート原稿ＳＤを読取る時には、図３に示すように、蓋部材１９を閉じてスリット開口１６を閉塞した上、シート原稿ＳＤの隣合った２辺を蓋部材１９の縁部１９ｂ及び枠部材５の内側面５ａに当接して、シート原稿ＳＤを適正な位置に載置し、カバー部材６を閉じた後、読取りを行う。なお、蓋部材１９が開いた状態の時に、シート原稿ＳＤが誤って挿入ポケット１８内へ落下しても、挿入ポケット１８は有底であるので、その中に保持され、事後ユーザによって取出される。
【００１８】
また、蓋部材１９は、枠部材５上でヒンジ２１によって連結されて開閉自在になったもの以外にも種々の変形が可能であり、例えば、筐体２の上面をスライド移動可能になった板状部材で構成し、原稿置き台３上に移動した位置では、スリット開口１６を覆い、原稿置き台３から後退した位置では、スリット開口１６が露出されるものであってもよい（不図示）。この場合には、ブック原稿ＢＤを扱う場合に、スリット開口１６を露出させても、蓋部材１９が邪魔にならずにカバー部材６を閉じることができ、読取り時の外光の影響を低減することができる。
【００１９】
さらに、凹部空間１７を構成する挿入ポケット１８も、種々変形が可能であって、原稿置き台３への連接部の構造を変形した例について、図４を参照して説明する。つまり、挿入ポケット側壁１８ａのガラス板３に当接する部分を、ガラス板３の縁部を囲む断面コ字状１８ｃに成型し、ガラス板３の上に露出した部分の側壁１８ｄを、枠部材５の内側壁５ａと正確に平行に構成する。このようにすれば、図４に示すように、スリット開口１６の蓋部材を設けない構成であっても、ブック原稿ＢＤ、シート原稿ＳＤ共に適正に原稿置き台３上に載置して、支障なく読取り動作を行うことができる。
【００２０】
つまり、ブック原稿ＢＤを読取る時には、開いたブック原稿ＢＤの片側を、露出しているスリット開口１６を通じて挿入ポケット１８へ挿入して読取り動作を行い、シート原稿ＳＤを読取る時には、シート原稿ＳＤの一辺を、挿入ポケット１８のガラス板３の上に露出した側壁１８ｄに当接して、シート原稿ＳＤの適正位置への位置決めを行った上で、読取り動作を行う。この例の場合には、スリット開口１６の蓋部材を設けないので、ブック原稿ＢＤを扱う場合、シート原稿ＳＤを扱う場合共に、蓋部材が支障になることなく、カバー部材６を閉じて読取り動作を行うことができ、読取り時の外光の影響を可及的に低減できて、印刷出力した画像に黒色化が生じる可能性をさらに低下させることができる。
【００２１】
次に、スリット開口１６を原稿置き台３の手前側に形成する場合について説明する。つまり、この場合には、図５に示したように、原稿置き台３の手前側（ユーザが操作を行う側）にスリット開口１６を形成し、スリット開口１６に連接する挿入ポケット１８を筐体２の前面２ａに連通した形状とする。挿入ポケット側壁１８ａのガラス板３に当接する部分は、ガラス板縁部を囲む断面コ字状１８ｃに成型し、ガラス板３の上に露出した部分の側壁１８ｄを、枠部材５の内側壁５ａと正確に平行に構成する。これによって、図４に示した例と同様に、シート原稿ＳＤを扱う時には、シート原稿ＳＤの一辺を、挿入ポケット１８の側壁１８ｄに当接することにより、シート原稿ＳＤを容易に適正位置に位置決めできる。また、挿入ポケット１８の下端は、筐体前面２ａに開けた開口部２ｂに連続するように接続してあり、シート原稿ＳＤが誤って挿入ポケット１８内に落下しても、開口部２ｂの蓋２２を開けることによって、落下したシート原稿ＳＤを容易に取出すことができる。また、開口部２ｂを通じて挿入ポケット１８の内部を、容易に清掃することもできる。
【００２２】
なお、上記読取り装置の構造は、スキャナ以外にも、プリンタ、コピー機等の種々の画像処理装置に適用できる。
【図面の簡単な説明】
【００２３】
【図１】本発明の一実施形態に係る原稿読取り装置の原稿置き台に、開いたブック原稿を載置した状態を示す斜視図。
【図２】図１のII−II線断面図。
【図３】同原稿読取り装置の原稿置き台に、シート原稿を載置した状態を示す斜視図。
【図４】同ブック原稿の挿入ポケットの形状の変形例を示す断面図。
【図５】同スリット開口の開口位置と挿入ポケットの形状を変更した例を示す断面図。
【図６】従来の原稿読取り装置の原稿置き台に、開いたブック原稿を載置した状態を示す斜視図。
【符号の説明】
【００２４】
１  原稿読取り装置
２  筐体
３  原稿置き台（透明ガラス板）
４  原稿読取り手段
１６  スリット開口
１７  凹部空間
１８  挿入ポケット
１８ｄ  側壁
１９  蓋部材
１９ｂ  縁部
ＢＤ  ブック原稿
ＳＤ  シート原稿
【図１】
2006270618.tif 000003
【図２】
2006270618.tif 000004
【図３】
2006270618.tif 000005
【図４】
2006270618.tif 000006
【図５】
2006270618.tif 000007
【図６】
2006270618.tif 000008
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
筐体と、前記筐体の上面に設けた透明ガラス板からなる原稿置き台と、前記原稿置き台
の下方に配置されて前記原稿置き台上の原稿を読取る原稿読取り手段とを有する原稿読取
り装置において、
前記原稿置き台の一辺に沿って、前記筐体との間に、開いたブック原稿の片側が挿入可
能なスリット開口を形成すると共に、前記スリット開口に連接され、前記原稿読取り手段
の外側方へ向かって傾斜した凹部空間を設け、
さらに、前記スリット開口に、スリット開口の形状と略同一形状の開閉自在な蓋部材を
設け、
前記蓋部材を開いた状態では、開いたブック原稿の片側を前記スリット開口に挿入する
ことによって、ブック原稿の他側のページを前記原稿置き台に密着して載置でき、前記蓋
部材を閉じた状態では、シート原稿の一辺を前記蓋部材の縁部に当接することによって、
シート原稿を前記原稿置き台の適正位置に載置できることを特徴とする原稿読取り装置。
【請求項２】
筐体と、前記筐体の上面に設けた透明ガラス板からなる原稿置き台と、前記原稿置き台
の下方に配置されて前記原稿置き台上の原稿を読取る原稿読取り手段とを有する原稿読取
り装置において、
前記原稿置き台の一辺に沿って、前記筐体との間に、開いたブック原稿の片側が挿入可
能なスリット開口を形成したことを特徴とする原稿読取り装置。
【請求項３】
前記スリット開口に連接され、前記原稿読取り手段を避けて外側方へ向かって傾斜した
凹部空間を設けたことを特徴とする請求項２に記載の原稿読取り装置。